(57)【要約】【課題】複数のケーブル同士が互いに乗り上げたり交錯したりすることがなく、滑らかに移動することが可能なケーブル配線装置を提供する。【解決手段】面上に互いに略平行に整列した複数のケーブルを、少なくとも２つ以上の配線用機材を用いて配線し、配線用機材の少なくとも１組の隣り合う２つの配線用機材は、一方の配線用機材が前記複数のケーブルが整列した面上に配置され、他方の配線用機材が前記複数のケーブルを挟んで前記整列した面の反対側の他方の面に配置され、前記２つの配線用機材は、同一のケーブルに固定される。これにより、複数のケーブル同士が互いに乗り上げたり交錯したりすることがなく、滑らかに移動することが可能となる。【選択図】図３
2015000500.tif 000002
【特許請求の範囲】
【請求項１】
面上に互いに略平行に整列した複数のケーブルを、少なくとも２つ以上の姿勢保持部材を用いて配線する射出成形機のケーブル配線装置であって、前記姿勢保持部材は、前記複数のケーブルの配線方向に垂直な方向に延在し、少なくとも２本のケーブルに接触するように配置され、前記姿勢保持部材の少なくとも１組の隣り合う２つの姿勢保持部材は、一方の姿勢保持部材が前記複数のケーブルが整列した面上に配置され、他方の姿勢保持部材が前記複数のケーブルを挟んで前記整列した面の反対側の他方の面に配置され、前記２つの姿勢保持部材は、同一のケーブルに固定されることを特徴とする射出成形機のケーブル配線装置。
【請求項２】
前記姿勢保持部材と、前記ケーブルとを締結する切り離し可能な締結部材を備えたことを特徴とする請求項１記載の射出成形機のケーブル配線装置。
【請求項３】
面上に互いに略平行に整列した複数のケーブルを固定する姿勢保持部材であって、前記姿勢保持部材は、前記複数のケーブルが整列した面に略平行な面に沿って前記複数のケーブルに接触保持可能な保持板部を備え、前記保持板部は、締結部材を貫通させることにより前記複数のケーブルのうちのいずれかのケーブルに締結可能な穴部を備えたことを特徴とする姿勢保持部材。
【発明の詳細な説明】
【技術分野】
【０００１】
本発明は射出成形機のケーブル配線装置及び姿勢保持部材に関する。
【背景技術】
【０００２】
射出成形機では、型締ユニットや射出ユニットといった駆動するユニット（以下、駆動ユニットとする。）が複数のケーブルによって電源供給ユニットに接続されている。各ケーブルは架台上に整列されている。一般的に電源供給ユニットは架台に固定されており、駆動ユニットの駆動に合わせてケーブルが移動する。
このとき、特にケーブルの径が大きい場合などには、駆動ユニットを駆動した際に、各ケーブルが整列した状態を維持することができずに、ケーブルに浮き上がりやねじれが生じる場合がある。ケーブルに浮き上がりやねじれが生じた状態のままケーブルが移動すると、ケーブル同士が互いに乗り上げたり交錯する状態となって、架台上に配置された部材などに干渉してケーブルの被覆の破損や芯線の破断などを引き起こす場合がある。
これらの課題を解消するために、ケーブルを保持する部材を用いたり、ケーブルを格納する部材を用いることがある。
【０００３】
特許文献１には、図８に示されているように、互いに並行に配置されたケーブル１１０を樹脂製のブリッジ１１１を用いて横断的に固定してケーブルの形状を保持する技術が開示されている。
特許文献２には、図９に示されているようにケーブル１１０を保護可撓管１１２内に格納することで、ケーブル１１０を保護しつつその形状を保持して稼働させる技術が開示されている。
【先行技術文献】
【特許文献】
【０００４】
【特許文献１】特開平９−３０６２６２号公報
【特許文献２】特開平１０−８６１９６号公報
【発明の概要】
【発明が解決しようとする課題】
【０００５】
特許文献１に開示されている技術は、樹脂製のブリッジ１１１が固定された際に板状に固めてしまうため、配索後にケーブル１１０の形状を自由に変えることができないことがある。そのため、駆動するユニットに接続するケーブル１１０に適用することが困難となる場合がある。
特許文献２に開示されている技術は、保護可撓管１１２を別途設置する必要があるためコストがかかり、また、保護可撓管１１２を設置するスペースが余分に必要となることがある。
【０００６】
そこで、本発明の目的は、複数のケーブル同士が互いに乗り上げたり交錯したりすることがなく、滑らかに移動することが可能なケーブル配線装置を提供することである。
【課題を解決するための手段】
【０００７】
本願の請求項１に係る発明では、面上に互いに略平行に整列した複数のケーブルを、少なくとも２つ以上の姿勢保持部材を用いて配線する射出成形機のケーブル配線装置であって、前記姿勢保持部材は、前記複数のケーブルの配線方向に垂直な方向に延在し、少なくとも２本のケーブルに接触するように配置され、前記姿勢保持部材の少なくとも１組の隣り合う２つの姿勢保持部材は、一方の姿勢保持部材が前記複数のケーブルが整列した面上に配置され、他方の姿勢保持部材が前記複数のケーブルを挟んで前記整列した面の反対側の他方の面に配置され、前記２つの姿勢保持部材は、同一のケーブルに固定されることを特徴とする射出成形機のケーブル配線装置が提供される。
すなわち、請求項１に係る発明では、互いに略平行に整列した複数のケーブルを、２つ以上の姿勢保持部材を用いて配線するようにしたことによって、複数のケーブル同士が互いに乗り上げたり交錯したりすることがなく、滑らかに移動するケーブル配線装置を提供することができる。
【０００８】
本願の請求項２に係る発明では、前記姿勢保持部材と、前記ケーブルとを締結する切り離し可能な締結部材を備えたことを特徴とする請求項１記載の射出成形機のケーブル配線装置が提供される。
すなわち、請求項２に係る発明では、姿勢保持部材とケーブルとの固定に、切り離し可能な締結部材を用いて固定するようにしたことにより、姿勢保持部材とケーブルとの固定及び解除を簡便に行うようにすることが可能となる。
【０００９】
本願の請求項３に係る発明では、面上に互いに略平行に整列した複数のケーブルを固定する姿勢保持部材であって、前記姿勢保持部材は、前記複数のケーブルが整列した面に略平行な面に沿って前記複数のケーブルに接触保持可能な保持板部を備え、前記保持板部は、締結部材を貫通させることにより前記複数のケーブルのうちのいずれかのケーブルに締結可能な穴部を備えたことを特徴とする姿勢保持部材が提供される。
【発明の効果】
【００１０】
本発明により、複数のケーブル同士が互いに乗り上げたり交錯したりすることがなく、滑らかに移動することが可能なケーブル配線装置を提供できる。
【図面の簡単な説明】
【００１１】
【図１】射出成形機における配線方法を示した斜視図である。
【図２】射出成形機における配線方法を示した斜視図であり、図１の（ｉ）方向から見た斜視図である。
【図３】本発明の実施形態の配線装置の構造を示した実装図である。
【図４】本発明の実施形態の姿勢保持部材の詳細図である。
【図５】図１におけるケーブル部分を上方向から見た平面図である。
【図６】本発明の実施形態の配線装置の構造で、ケーブルが４本の場合の実装図である。
【図７】本発明の実施形態の配線装置の構造で、ケーブルが２本の場合の実装図である。
【図８】従来技術の概略図である。
【図９】従来技術の概略図である。
【発明を実施するための形態】
【００１２】
図１及び図２は、一般的な射出成形機における配線方法を示した斜視図であり、図２は、図１の（ｉ）側から見た斜視図である。架台２１の上に電源供給ユニット２２が固定されており、その上に配置されたレール２４上に駆動ユニット２３が配置され、駆動ユニット２３はレール２４に沿った方向に駆動される。また、駆動ユニット２３と電源供給ユニット２２との間は複数のケーブル１０によって接続されている。複数のケーブル１０は互いに略平行に整列して配置されており、駆動ユニット２３側においては架台２１上に整列されており、その後図２における正面部において架台２１下部方向に延びて、最終的に電源供給ユニット２２に接続されている。
【００１３】
図１及び図２に示されている複数のケーブル１０の配線装置に関する、本発明の実施形態を、以下図に基づいて説明する。
図３は、本実施形態の配線装置の構造を示した模式図である。本実施形態においては、複数のケーブルとして、３本のケーブル１０ａ、ケーブル１０ｂ、ケーブル１０ｃからなるもので説明する。
本実施形態において、３本のケーブル１０は互いに略平行になるように整列して配置されており、それぞれのケーブル１０は、配線用機材１と締結部材５を用いて固定されている。図３に示されているように、配線用機材１は、その長手方向が３本のケーブル１０の配線方向に垂直な方向となるように配置されており、少なくとも１組の隣り合う２つの配線用機材１が、一方が３本のケーブル１０の上面、他方が３本のケーブル１０の下面となるように配置されている。また、配線用機材１はナイロンバンドからなる締結部材５によってケーブル１０に固定されており、図３における左側２つの配線用機材１は中央のケーブル１０ｂに、右側２つの配線用機材１は左端のケーブル１０ａに固定されている。
【００１４】
図４は、本実施形態において用いられている配線用機材１の詳細図である。配線用機材１は、金属鋼板からなる保持板３と、その長手方向側部を覆う、樹脂製の保護ブッシュ４とから構成されている。保護ブッシュ４により、ケーブル１０が駆動した際に、金属製の保持板３が周囲の金属部分とこすれて摩耗することを防止することができる。また、保持板３には、配線用機材１とケーブル１０とを固定する締結部材５を通すためのケーブル固定穴２が設けられている。本実施形態においては、ケーブル固定穴２は４つ設けられており、２つのケーブル固定穴２に締結部材５であるナイロンバンドを貫通させ、さらに締結部材５をケーブル１０の周囲を周回させるようにして配線用機材１とケーブル１０とを固定する。また、残りの２つのケーブル固定穴２についても同様に締結部材５を用いて配線用機材１とケーブル１０とを固定する。
締結部材５によって固定されている配線用機材１とケーブル１０との固定を解除する際には、締結部材５を切り離すことによって固定を解除することができる。
【００１５】
本実施形態においては、図３及び図４に示されているように、３本のケーブル１０に対し、隣り合う配線用機材１の一方を３本のケーブル１０の上面、他方を３本のケーブル１０の下面となるように配置し、いずれも同一のケーブルであるケーブル１０ｂに固定するようにしている。これにより、駆動ユニット２３の駆動に伴って、ケーブル１０ａ又はケーブル１０ｃが中央のケーブル１０ｂを乗り越えようとしても、ケーブル１０ｂに固定された配線用機材１によって付勢されるためケーブル１０ｂを乗り越えることはできない。また、ケーブル１０ｂがケーブル１０ａ又はケーブル１０ｃを乗り越えようとしても、ケーブル１０ｂに固定された配線用機材１がケーブル１０ａ及びケーブル１０ｃによって付勢されるため、同様に乗り越えることができない。このため、３本のケーブル１０は互いに乗り上げたり交錯したりすることがない。
【００１６】
図５は、図１におけるケーブル１０部分を上方向から見た平面図である。図３においては、複数のケーブル１０は直線状に配置されていたが、図５に示されているように複数のケーブルが屈曲する部分を有していても、複数のケーブル１０が互いに略平行状に配置され、配線用機材１によって固定するようにすれば、同様の効果を奏することができる。このように屈曲した状態で架台２１上を摺動する場合であっても、配線用機材１はいずれか１本のケーブル１０に固定されており、他のケーブル１０の水平方向の動きを抑制しないため、ケーブル１０は駆動ユニット２３の駆動に合わせて自由にその形状と位置を変えることができる。
【００１７】
本実施形態においては、配線用機材１を固定するにあたり、締結部材５を３本のケーブル１０のうちの中央のケーブル１０ｂに固定する場合を中心に説明したが、必ず中央のケーブル１０ｂに固定しなければならないものではなく、図３における右側２つの配線用機材１のように、端のケーブルであるケーブル１０ａやケーブル１０ｃに固定しても、同様の効果を奏することができる。
本実施形態において用いられる配線用機材１は、保持板３を金属鋼板によって形成しているが、ケーブル１０を適切に固定できるものであれば、他の材質であってもよい。また、締結部材５についても、本実施形態においてはナイロン製のバンドを用いているが、他の材質のものであってもよい。さらに、保持板３に設けるケーブル固定穴２についても、本実施形態においては４つのケーブル固定穴２を設けて、２組の締結部材５を用いて配線用機材１とケーブル１０とを固定しているが、ケーブル固定穴２の個数についても４つに限ったものではなく、例えば６つ設けて３組の締結部材５によって固定したり、逆に２つのケーブル固定穴２として１つの締結部材５によって固定したり、さらには、ケーブル固定穴２を１つとして、かかるケーブル固定穴２に締結部材５を貫通させてケーブル１０を固定するようにすることもできる。
【００１８】
本実施形態においては、ケーブル１０の本数が３本の場合で説明したが、図６に示されているような４本の場合や、図７に示されているような２本の場合であっても同様に適用することができる。これらの場合であっても、隣り合う配線用機材１は一方が複数のケーブル１０の上面、他方が複数のケーブル１０の下面となるように配置され、締結部材５であるナイロンバンドを用いて、同一のケーブルに固定するように構成されている。
【符号の説明】
【００１９】
１    配線用機材
２    ケーブル固定穴
３    保持板
４    保護ブッシュ
５    締結部材
１０  ケーブル
２０  射出成形機
２１  架台
２２  電源供給ユニット
２３  駆動ユニット
２４  レール
１１０  ケーブル
１１１  ブリッジ
１１２  保護可撓管
【図１】
2015000500.tif 000003
【図２】
2015000500.tif 000004
【図３】
2015000500.tif 000005
【図４】
2015000500.tif 000006
【図５】
2015000500.tif 000007
【図６】
2015000500.tif 000008
【図７】
2015000500.tif 000009
【図８】
2015000500.tif 000010
【図９】
2015000500.tif 000011